(57)【要約】【課題】良好な接続状態を維持することが可能な電気配線端末構造を提供する。【解決手段】ターミナル３２が電気接触部３７を介して電気機器３４の接続端子３５に接続・固定され、また、ターミナルカバー３３がカバー側固定部５５を介して電気機器３４の固定部３６に固定され、さらに、ターミナル３２に対してターミナルカバー３３がこのターミナル３２を完全に覆った状態になると、ターミナル３２は外部からの例えば水分や埃等の付着が阻止される。また、この状態において、仮に電気配線３１に外力が加わったとしても、この外力は固定状態にあるターミナルカバー３２に作用することから、電気的接続要部となる電気接触部３７に外力が直接作用することはない。【選択図】図２
2008071653.tif 000002
【特許請求の範囲】
【請求項１】
電気接触部及び電線接続部を有し該電線接続部を介して電気配線の端末に接続されるターミナルと、該ターミナルに対してこの全体を覆うように取り付くターミナルカバーと、を含んで構成される電気配線端末構造において、
電気機器の接続端子に接続される前記電気接触部を第一固定点とした上で、前記ターミナルカバーには、第二固定点となり前記電気機器若しくはこの近傍の固定部に固定されるカバー側固定部を一体に形成する
ことを特徴とする電気配線端末構造。
【請求項２】
請求項１に記載の電気配線端末構造において、
前記第二固定点となる前記カバー側固定部を、前記電線接続部の位置に合わせて配置形成する
ことを特徴とする電気配線端末構造。
【請求項３】
請求項１又は請求項２に記載の電気配線端末構造において、
前記ターミナルは、前記電気接触部と前記電線接続部との間に連結中間部を有し、前記ターミナルカバーは、前記連結中間部を保持しつつ前記第一固定点及び前記第二固定点間の距離を可変可能にするスライド保持構造を有する
ことを特徴とする電気配線端末構造。
【発明の詳細な説明】
【技術分野】
【０００１】
本発明は、電気配線の端末に接続されるターミナルと、このターミナルを覆うターミナルカバーとを含んで構成される電気配線端末構造に関し、特に、ターミナルが自動車等のスタータターミナル、ターミナルカバーがスタータターミナルカバーの場合に好適となる電気配線端末構造に関する。
【背景技術】
【０００２】
従来の電気配線端末構造としては、例えば下記特許文献１に開示された技術が知られている。図１３において、電気配線（電線）１の端末には、側面視がＬ字状となるターミナル２が接続されている。一方、電気機器（例えば車両のスタータ）３の接続端子４には、ターミナル２がナット５により螺着されるようになっている。ターミナル２は、ターミナルカバー６によってこの全体が覆われ保護されるようになっている。
【０００３】
ターミナル２は、電気接触部７と電線接続部８と曲げ部９とを有している。電気接触部７は電気機器３側に、電線接続部８は電気配線１側にそれぞれ配置形成されている。また、曲げ部９は、電気接触部７と電線接続部８との間に配置形成されている。電気接触部７には、貫通孔１０と当接片１１とが形成されている。電線接続部８には、かしめ片１２及び１３が形成されている。
【０００４】
図１３及び図１４において、ターミナルカバー６は、カバー本体１４と第一カバー１５と第二カバー１６とを有している。カバー本体１４は、電気接触側本体１７及び電線接続側本体１８を有している。カバー本体１４は、電気接触側本体１７及び電線接続側本体１８をターミナル２の形状に合わせてＬ字状に連続配置することにより形成されている。
【０００５】
電気接触側本体１７及び電線接続側本体１８の連成部分には、ターミナル挟持部１９が形成されている。ターミナル挟持部１９は、側面視が略Ｌ字状となる形状に形成されている。ターミナル挟持部１９は、ターミナル２の曲げ部９の裏面に対して線又は面接触するように形成されている。電線接続側本体１８には、ターミナル２の電線接続部８を受けてこれを配置する受け部２０と、コルゲートチューブ２１に対する引っ掛け部２２とが形成されている。
【０００６】
第一カバー１５は、電気接触側本体１７の上面を覆いターミナル２の電気接触部７に対向する部分として形成されている。また、第二カバー１６は、電線接続側本体１８の上面を覆いターミナル２の電線接続部８に対向する部分として形成されている。このような第二カバー１６において、図中の引用符号２３、２４はターミナル２の電線接続部８に対する受け部を示している。第二カバー１６には、ターミナル挟持部２５が側面視略Ｌ字状となる形状に形成されている。
【０００７】
上記構成において、ターミナル２にターミナルカバー６を取り付け、ターミナル挟持部１９及び２５によりターミナル２を挟み込むと、この挟み込みによってターミナル２が押さえ付けられるような構造になっている。ターミナル挟持部１９及び２５は、ターミナル２の曲げ部９をこの表裏方向から挟持する構造になっている。従って、ターミナルカバー６は、ターミナル２に対してガタ付きなく取り付けられるようになっている。
【０００８】
ターミナルカバー６をターミナル２に対してガタ付きなく取り付ける、ということは、近年、益々高密度化してきたエンジンルーム内のことを考えると、有用な技術であると言える。
【特許文献１】特開２００４−２５３２２３号公報
【発明の開示】
【発明が解決しようとする課題】
【０００９】
特許文献１に開示された技術にあっては、電気配線１の端末のターミナル２が電気接触部７を介して電気機器３に接続されるようになっている。また、電気接触部７を介してターミナル２の固定も同時になされるようになっている。一方、ターミナルカバー６は、ターミナル挟持部１９及び２５により挟み込む格好でターミナル２に取り付けられるようになっている。ターミナルカバー６は、ターミナル２にのみ取り付けられている。従って、このような端末構造にあっては、電気配線１に外力が例えば図１３中の矢印方向に加わると、外力が電気的接続要部となる電気接触部７に直接作用してしまうことになる。すなわち、従来技術にあっては、外力により接続の不具合が発生する可能性を有しており、これが問題点となっている。
【００１０】
本発明は、上述した事情に鑑みてなされたもので、良好な接続状態を維持することが可能な電気配線端末構造を提供することを課題とする。
【課題を解決するための手段】
【００１１】
上記課題を解決するためになされた請求項１記載の本発明の電気配線端末構造は、電気接触部及び電線接続部を有し該電線接続部を介して電気配線の端末に接続されるターミナルと、該ターミナルに対してこの全体を覆うように取り付くターミナルカバーと、を含んで構成される電気配線端末構造において、電気機器の接続端子に接続される前記電気接触部を第一固定点とした上で、前記ターミナルカバーには、第二固定点となり前記電気機器若しくはこの近傍の固定部に固定されるカバー側固定部を一体に形成することを特徴としている。
【００１２】
このような特徴を有する本発明によれば、ターミナルが電気接触部を介して電気機器の接続端子に接続・固定される。そして、このようなターミナルに対しターミナルカバーがターミナルを完全に覆う状態になると、ターミナルは外部からの例えば水分や埃等の付着が阻止される。本発明におけるターミナルカバーは、ターミナルを単に覆うのではなく、カバー側固定部を有しており、このカバー側固定部を介して電気機器若しくはこの近傍の固定部に固定される。従って、仮に電気配線に外力が加わったとしても、この外力はターミナルカバーに作用する。外力がターミナルカバーに作用しても、ターミナルカバーはカバー側固定部により固定状態にあることから、ターミナルの電気接触部にまで作用が及ばないことになる。本発明によれば、電気的接続要部となる電気接触部に外力が直接作用してしまうことのない構造になっている。
【００１３】
請求項２記載の本発明の電気配線端末構造は、請求項１に記載の電気配線端末構造において、前記第二固定点となる前記カバー側固定部を、前記電線接続部の位置に合わせて配置形成することを特徴としている。
【００１４】
このような特徴を有する本発明によれば、電線接続部に近いところにカバー側固定部が形成される。これにより、電気配線に比較的大きな外力が加わったとしても、カバー側固定部のみで対処することが可能になる。すなわち、電気配線に比較的大きな外力が加わったとしても電気接触部にまで作用することが避けられる。
【００１５】
請求項３記載の本発明の電気配線端末構造は、請求項１又は請求項２に記載の電気配線端末構造において、前記ターミナルは、前記電気接触部と前記電線接続部との間に連結中間部を有し、前記ターミナルカバーは、前記連結中間部を保持しつつ前記第一固定点及び前記第二固定点間の距離を可変可能にするスライド保持構造を有することを特徴としている。
【００１６】
このような特徴を有する本発明によれば、ターミナルの長さが長く、また、これに伴ってターミナルカバーの長さも長くなるような場合に特に有用となる。すなわち、ターミナルとターミナルカバーの長さが長くなると寸法のズレが生じ易くなるが、この寸法のズレはスライド保持構造によって吸収される。従って、ターミナルの接続固定ができ、ターミナルカバーの固定はできない、と言うような不具合は確実に避けられる。本発明の適用としては、例えば狭いスペースでターミナルの全長を長くしなければならない場合が挙げられる。
【発明の効果】
【００１７】
請求項１に記載された本発明によれば、良好な接続状態を維持することができるという効果を奏する。また、請求項２に記載された本発明によれば、比較的大きな外力に対処することができるという効果を奏する。また、請求項３に記載された本発明によれば、ターミナルとターミナルカバーの寸法のズレを吸収することができるという効果を奏する。
【発明を実施するための最良の形態】
【００１８】
以下、図面を参照しながら説明する。図１は本発明の電気配線端末構造の一実施の形態を示す斜視図である。また、図２は図１の電気配線端末構造の分解斜視図である。尚、ここでは車両のスタータを一例に挙げて説明をするものとする。
【００１９】
図１及び図２において、電気配線（電線）３１の端末には、側面視がＬ字状となるターミナル（スタータターミナル）３２が接続されている。このターミナル３２は、ターミナルカバー（スタータターミナルカバー）３３に覆われて保護されている。ターミナル３２は、ターミナルカバー３３に保護された状態で電気機器（スタータ）３４の接続端子３５に接続されている。
【００２０】
本発明の電気配線端末構造においては、ターミナル３２が電気機器３４に接続・固定されるとともに、ターミナルカバー３３がターミナル３２を保護した状態で電気機器３４の固定部３６に取り付け固定されるようになっている。すなわち、二つの固定点によって接続状態が維持されるようになっている。
【００２１】
ターミナル３２は、導電性を有する平板をプレス加工することにより形成されている。ターミナル３２は、電気接触部３７と電線接続部３８と曲げ部３９とを有して側面視Ｌ字状に形成されている。電気接触部３７は、電気機器３４の接続端子３５側となるように配置形成されている。また、電線接続部３８は、電気配線３１側となるように配置形成されている。曲げ部３９は、電気接触部３７と電線接続部３８との間に配置される、略９０°に折り曲げられた部分として形成されている。
【００２２】
電気接触部３７には、スタッドボルト状の接続端子３５が挿通される貫通孔４０が形成されている。また、電気接触部３７には、一対の当接片４１、４１が形成されている（当接片４１、４１の形成は任意であるものとする）。貫通孔４０と曲げ部３９との間には、平坦な部分が形成されている。
【００２３】
電線接続部３８には、一対のかしめ片４２、４２及び４３、４３が形成されている。電気配線３１の端末は、一対のかしめ片４２、４２及び４３、４３の加締めにより電気的な接続と固定とが同時になされるようになっている。ここでのターミナル３２は、電気配線３１の端末の接続部分近傍に曲げ部３９が配置形成されるような構造になっている。
【００２４】
電気機器３４は、ここでは車両のスタータであって、図中の矢印方向を上下と定義すると、この上面４４にスタッドボルト状の接続端子３５が設けられている。接続端子３５は、台座４５を介して上面４４に設けられている。台座４５には、ターミナル３２の当接片４１、４１が当接してターミナル３２の回り止め及び位置決めがなされるようになっている。電気機器３４の側面４６には、固定部３６が設けられている（電気機器３４近傍の剛体に固定部３６と同様の部分を設けても良いものとする）。固定部３６には、スタッドボルト状の部分が含まれている。このスタッドボルト状の部分には、特に図示しないがナットが螺合するようになっている。接続端子３５と固定部３６の配置は、所定の間隔があくような配置になっている。
【００２５】
ターミナルカバー３３は、絶縁性を有する合成樹脂材料を用いてこれを射出成形することにより形成されている。ターミナルカバー３３は、カバー本体４７と第一カバー４８と第二カバー４９とを有している。ターミナルカバー３３は、カバー本体４７と第一カバー４８と第二カバー４９とによってターミナル３２全体を覆うことができるように形成されている（ターミナル３２の全体を覆い、周囲の物体がターミナル３２や接続端子３５に接触してリークしたり、水分や埃がターミナル３２及び接続端子３５等に付着したりしないように保護する）。
【００２６】
カバー本体４７は、電気接触側本体５０及び電線接続側本体５１を有している。カバー本体４７は、電気接触側本体５０及び電線接続側本体５１をターミナル３２の形状に合わせてＬ字状に連続配置することにより形成されている。
【００２７】
電気接触側本体５０は、ターミナル３２の電気接触部３７側を配置するための部分として形成されている。電気接触側本体５０は、枠状となる形状に形成されている。すなわち、電気接触側本体５０は、この上下面が開口するように形成されている。電気接触側本体５０の上面は、ナット（図示省略。図１３のナット５と同じであるものとする）の締め付けを行うために開口成形されている。電気接触側本体５０の下面は、電気機器３４の接続端子３５を挿通するために開口成形されている。電気接触側本体５０には、第一カバー４８に対する係止突起５２が形成されている。電気接触側本体５０は、電線接続側本体５１に対して直交するように連成されている。
【００２８】
電線接続側本体５１は、ターミナル３２の電線接続部３８側を配置するための部分として形成されている。電線接続側本体５１は、左右に側壁を有するとともに、底壁を有している。また、電線接続側本体５１は、ターミナル３２の取り付けを行うための開口部を有するとともに、コルゲートチューブ５３を用いて電気配線３１を引き出すための開口部を有している。一方の側壁には、第二カバー４９に対する係止突起５４が複数形成されている。また、他方の側壁には、複数のヒンジを介して第二カバー４９が連成されている。底壁には、ターミナル３２の電線接続部３８を受けてこれを配置する受け部と、コルゲートチューブ５３に対する引っ掛け部とが形成されている。
【００２９】
電線接続側本体５１の一方の側壁には、電気機器３４の固定部３６に取り付け固定されるカバー側固定部５５が形成されている。カバー側固定部５５は、電気接触側本体５０から一番離れた位置に配置形成されている（一例であるものとする）。カバー側固定部５５は、ターミナル３２の電線接続部３８の位置や、コルゲートチューブ５３の位置に合わせて配置形成されている。カバー側固定部５５には、電気機器３４の固定部３６に設けられるスタッドボルト状の部分を挿通するための貫通孔が含まれている。
【００３０】
ターミナル３２の電気接触部３７を第一固定点と定義すると、カバー側固定部５５は第二固定点として機能する部分となっている。尚、特に限定するものではないので、カバー側固定部５５を第二カバー４９に形成しても良いものとする。カバー側固定部５５の形成位置は任意であり、ターミナル３２の電気接触部３７に対して外力が直接作用しなければ良いものとする（電線接続部３８の位置やコルゲートチューブ５３の位置に合わせることが好ましい）。
【００３１】
第一カバー４８は、電気接触側本体５０の上面を覆いターミナル３２の電気接触部３７に対向する部分として形成されている。このような第一カバー４８の周縁部分には、電気接触側本体５０の係止突起５２に係止されるコ字状の係止部５６が形成されている。一方、第二カバー４９は、電線接続側本体５１の開口部を覆いターミナル３２の電線接続部３８に対向する部分として形成されている。このような第二カバー４９の周縁部分には、電線接続側本体５１の複数の係止突起５４にそれぞれ係止されるコ字状の係止部５７が形成されている。第二カバー４９の内部には、ターミナル３２の電線接続部３８を受けてこれを配置する受け部と、コルゲートチューブ５３に対する引っ掛け部とが形成されている。
【００３２】
第一カバー４８及び第二カバー４９は、ヒンジによって開閉するようになっている。第一カバー４８及び第二カバー４９は、背景技術の欄の特許文献１のものと基本的に同じ機能を有している。尚、ここでのターミナルカバー３３には、特許文献１のターミナル挟持部（図１４の引用符号１９及び２５参照）が設けられているものとする（一例であるものとする。後述の形態ではターミナル挟持部が存在しない）。
【００３３】
上記構成において、ターミナル３２が電気接触部３７を介して電気機器３４の接続端子３５に接続・固定され、また、ターミナルカバー３３がカバー側固定部５５を介して電気機器３４の固定部３６に固定され、さらに、ターミナル３２に対してターミナルカバー３３がこのターミナル３２を完全に覆った状態になると、ターミナル３２は外部からの例えば水分や埃等の付着が阻止される。また、この状態において、仮に電気配線３１に外力が加わったとしても、この外力は固定状態にあるターミナルカバー３２に作用することから、電気的接続要部となる電気接触部３７に外力が直接作用することはない。従って、本発明によれば、接続状態を良好に維持することができる。
【００３４】
次に、図３ないし図１２を参照しながら本発明の電気配線端末構造の他の一実施の形態を説明する。図３は他の一実施の形態を示す斜視図、図４は図３の分解斜視図である。また、図５〜図８はターミナルカバーで保護された状態の図、図９は図７のＡ−Ａ線断面図、図１０〜図１２はスライド保持構造の説明図である。
【００３５】
図３及び図４において、電気配線（電線）３１の端末には、側面視がＬ字状となるターミナル（スタータターミナル）６１が接続されている。このターミナル６１は、ターミナルカバー（スタータターミナルカバー）６２に覆われて保護されている。ターミナル６１は、ターミナルカバー６２に保護された状態で電気機器（スタータ）３４の接続端子３５に接続されている。
【００３６】
本発明の電気配線端末構造においては、前述の形態と同様、ターミナル６１が電気機器３４に接続・固定されるとともに、ターミナルカバー６２がターミナル６２を保護した状態で電気機器３４の固定部３６に取り付け固定されるようになっている。すなわち、二つの固定点によって接続状態が維持されるようになっている。
【００３７】
前述の形態との相違点としては、ターミナル６１及びターミナルカバー６２の長さ（全長）が長くなった点と、スライド保持構造を有する点とが相違している。また、特許文献１のターミナル挟持部が存在しない点も相違している。以下、これら相違点を含めて説明する。
【００３８】
ターミナル６１は、導電性を有する平板をプレス加工することにより形成されている。ターミナル６１は、電気接触部６３と電線接続部６４と連結中間部６５とを有して側面視Ｌ字状に形成されている。連結中間部６５は、曲げ部６６と本体部６７とを有している。ターミナル６１は、連結中間部６５を有して長さの長いものに形成されている。電気接触部６３は、電気機器３４の接続端子３５側となるように配置形成されている。また、電線接続部６４は、電気配線３１側となるように配置形成されている。曲げ部６６は、略９０°に折り曲げられた部分であって、電気接触部６３に連成されている。本体部６７は、電線接続部６４に連成されている。
【００３９】
電気接触部６３には、スタッドボルト状の接続端子３５が挿通される貫通孔６８が形成されている。また、電気接触部６４には、当接片６９が形成されている。電気接触部６３及び連結中間部６５には、高さの低い側壁７０、７０が形成されている。電気接触部６３及び連結中間部６５は、側壁７０、７０によって断面視コ字状で浅底となる形状に形成されている。側壁７０、７０は、強度を確保する部分として形成されている。また、側壁７０、７０は、本形態において、スライド保持構造に必要な部分として形成されている。側壁７０、７０の形成によって底となる部分は、平坦な面を有するようになっている。
【００４０】
電線接続部６４には、一対のかしめ片７１、７１及び７２、７２が形成されている。電気配線３１の端末は、一対のかしめ片７１、７１及び７２、７２の加締めにより電気的な接続と固定とが同時になされるようになっている。
【００４１】
ターミナルカバー６２は、絶縁性を有する合成樹脂材料を用いてこれを射出成形することにより形成されている。ターミナルカバー６２は、カバー本体７３と第一カバー７４と第二カバー７５とを有している。ターミナルカバー６２は、カバー本体７３と第一カバー７４と第二カバー７５とによってターミナル６１全体を覆うことができるように形成されている（ターミナル６１の全体を覆い、周囲の物体がターミナル６１や接続端子３５に接触してリークしたり、水分や埃がターミナル６１及び接続端子３５等に付着したりしないように保護する）。
【００４２】
カバー本体７３は、電気接触側本体７６、連結中間側本体７７、及び電線接続側本体７８を有している。カバー本体７３は、電気接触側本体７６、連結中間側本体７７、及び電線接続側本体７８をターミナル６１の形状に合わせてＬ字状に連続配置することにより形成されている。
【００４３】
電気接触側本体７６は、ターミナル６１の電気接触部６３側を配置するための部分として形成されている。電気接触側本体７６は、枠状となる形状に形成されている。すなわち、電気接触側本体７６は、この上下面が開口するように形成されている。電気接触側本体７６の上面は、ナット（図示省略。図１３のナット５と同じであるものとする）の締め付けを行うために開口成形されている。電気接触側本体７６の下面は、電気機器３４の接続端子３５を挿通するために開口成形されている。電気接触側本体７６には、第一カバー７４に対する係止突起７９が形成されている。電気接触側本体７６は、連結中間側本体７７に対して直交するように連成されている。
【００４４】
連結中間側本体７７は、ターミナル６１の連結中間部６５の曲げ部６６と本体部６７とに対応して、この連結中間部６５を配置するための部分として形成されている。連結中間側本体７７は、左右に側壁を有するとともに、底壁を有している。また、連結中間側本体７７は、ターミナル６１の取り付けを行うための開口部を有している。連結中間側本体７７は、断面視コ字状で浅底となる形状に形成されている。一方の側壁には、第二カバー７５に対する係止突起８０が複数形成されている。また、他方の側壁には、複数のヒンジを介して第二カバー７５が連成されている。底壁には、ターミナル６１の連結中間部６５を受けてこれを配置する微小な高さの受け部（符号省略）が形成されている。
【００４５】
連結中間側本体７７の一方の側壁には、電気機器３４の固定部３６に取り付け固定されるカバー側固定部８１が形成されている。カバー側固定部８１は、電線接続側本体７８の近傍に形成されている。カバー側固定部８１には、電気機器３４の固定部３６に設けられるスタッドボルト状の部分を挿通するための貫通孔が含まれている。ターミナル６１の電気接触部６３を第一固定点と定義すると、カバー側固定部８１は第二固定点として機能する部分となっている。
【００４６】
電線接続側本体７８は、ターミナル６１の電線接続部６４側を配置するための部分として形成されている。電線接続側本体７８は、左右に側壁を有するとともに、底壁を有している。また、電線接続側本体７８は、ターミナル６１の取り付けを行うための開口部を有するとともに、コルゲートチューブ５３を用いて電気配線３１を引き出すための開口部を有している。一方の側壁には、第二カバー７５に対する係止突起８０が複数形成されている。また、他方の側壁には、複数のヒンジを介して第二カバー７５が連成されている。底壁には、コルゲートチューブ５３に対する引っ掛け部が形成されている。
【００４７】
第一カバー７４は、電気接触側本体７６の上面を覆いターミナル６１の電気接触部６３に対向する部分として形成されている。このような第一カバー７４の周縁部分には、電気接触側本体７６の係止突起７９に係止されるコ字状の係止部８２が形成されている。一方、第二カバー７５は、連結中間側本体７７及び電線接続側本体７８の各開口部を覆いターミナル６１の連結中間部６５及び電線接続部６４に対向する部分として形成されている。このような第二カバー７５の周縁部分には、連結中間側本体７７及び電線接続側本体７８の複数の係止突起８０にそれぞれ係止されるコ字状の係止部８３が形成されている。
【００４８】
第二カバー７５は、この内部でターミナル６１の連結中間部６５に対応する部分に複数の受け部８４を有している。この受け部８４は、略リブ状の形状であって、ターミナル６１の連結中間部６５の側壁間に差し込まれるように形成されている。受け部８４は、連結中間部６５の側壁間を横切るように形成されている。受け部８４は、この先端と連結中間側本体７７の微小な高さの受け部とでターミナル６１の連結中間部６５を挟み込むように形成されている。また、受け部８４は、この側部と連結中間側本体７７の側壁とでターミナル６１の連結中間部６５を挟み込むように形成されている。
【００４９】
尚、ここでの挟み込みとは、ターミナル６１の連結中間部６５をスライド可能な状態に保持できる程度を言うものとする。受け部８４を含むここでの説明の部分は、本発明に係るスライド保持構造を構成するものとする（受け部８４を主とする上記のスライド保持構造、若しくは、連結中間側本体７７の両側壁でターミナル６１の連結中間部６５を挟み込み受け部８４で支持するスライド保持構造等が挙げられる。スライド保持構造は、ターミナル６１の連結中間部６５を保持しつつターミナル６１の電気接触部６３（第一固定点）及びカバー側固定部８１（第二固定点）間の距離を可変可能にする構造である）。
【００５０】
第二カバー７５は、この内部でターミナル６１の電線接続部６４に対応する部分にコルゲートチューブ５３に対する引っ掛け部を有している。第一カバー７４及び第二カバー７５は、ヒンジによって開閉するようになっている。第一カバー７４は、背景技術の欄の特許文献１のものと基本的に同じ機能を有している。受け部８４を含むスライド保持構造を有するものの、第二カバー７５も背景技術の欄の特許文献１のものと基本的に同じ機能を有している。
【００５１】
上記構成において、ターミナル６１が電気接触部６３を介して電気機器３４の接続端子３５に接続・固定され、また、ターミナルカバー６２がカバー側固定部８１を介して電気機器３４の固定部３６に固定され、さらに、ターミナル６１に対してターミナルカバー６２がこのターミナル６１を完全に覆った状態になると、ターミナル６１は外部からの例えば水分や埃等の付着が阻止される。また、この状態において、仮に電気配線３１に外力が加わったとしても、この外力は固定状態にあるターミナルカバー６２に作用することから、電気的接続要部となる電気接触部６３に外力が直接作用することはない。従って、本発明によれば、接続状態を良好に維持することができる。
【００５２】
ターミナル６１にターミナルカバー６２が取り付くと、第二カバー７５の複数の受け部８４などによってターミナル６１の連結中間部６５が保持される。これによってターミナルカバー６２は、ターミナル６１に対してガタ付きなく取り付けられる。
【００５３】
尚、ターミナル６１とターミナルカバー６２はこの全長が長いことから、ターミナル６１の電気接触部６３とターミナルカバー６２のカバー側固定部８１との間隔が電気機器３４の接続端子３５と固定部３６との間隔に合わない場合が考えられる。この場合、本発明では次のように対処されることになる。
【００５４】
図１０はターミナル６１とターミナルカバー６２の位置が基準の位置となる状態を示している。この基準位置の状態は、ターミナルカバー６２のカバー本体７３に形成される下部ストッパ８５と第二カバー７５に形成される上部ストッパ８６との間の中央位置に、ターミナル６１の電気接触部６３（及び曲げ部６６）が存在するようにターミナルカバー６２を取り付けた状態に一致するものとする。
【００５５】
このような状態において、ターミナル６１の電気接触部６３とターミナルカバー６２のカバー側固定部８１との間隔が電気機器３４の接続端子３５と固定部３６との間隔に合わない場合、図１１に示す如く上部ストッパ８６が曲げ部６６に当接するようにターミナルカバー６２を下方へスライドさせると、このスライド量に応じて電気接触部６３とカバー側固定部８１との間隔が広がる。逆に、図１２に示す如く下部ストッパ８５が曲げ部６６に当接するようにターミナルカバー６２を上方へスライドさせると、このスライド量に応じて電気接触部６３とカバー側固定部８１との間隔が狭まる。
【００５６】
従って、ターミナル６１の接続固定ができ、ターミナルカバー６２の固定はできない、と言うような不具合は確実に避けることができる。スライドに関しては、受け部８４を含むスライド保持構造によってガタ付きなく行うことができる。
【００５７】
その他、本発明は本発明の主旨を変えない範囲で種々変更実施可能なことは勿論である。
【図面の簡単な説明】
【００５８】
【図１】本発明の電気配線端末構造の一実施の形態を示す斜視図である。
【図２】図１の電気配線端末構造の分解斜視図である。
【図３】本発明の電気配線端末構造の他の一実施の形態を示す斜視図である。
【図４】図３の電気配線端末構造の分解斜視図である。
【図５】ターミナルカバーで保護された状態の斜視図である。
【図６】ターミナルカバーで保護された状態の正面図である。
【図７】ターミナルカバーで保護された状態の側面図である。
【図８】ターミナルカバーで保護された状態の平面図である。
【図９】図７のＡ−Ａ線断面図である。
【図１０】（ａ）、（ｂ）はスライド保持構造の説明図であり、基準位置の状態を示す断面図である。
【図１１】（ａ）、（ｂ）はスライド保持構造の説明図であり、基準位置に対して図面上方へ移動した状態を示す断面図である。
【図１２】（ａ）、（ｂ）はスライド保持構造の説明図であり、基準位置に対して図面下方へ移動した状態を示す断面図である。
【図１３】従来例の電気配線端末構造を示す分解斜視図である。
【図１４】図１３のターミナルカバーの断面図である。
【符号の説明】
【００５９】
３１  電気配線
３２  ターミナル
３３  ターミナルカバー
３４  電気機器
３５  接続端子
３６  固定部
３７  電気接触部
３８  電線接続部
３９  曲げ部
４７  カバー本体
４８  第一カバー
４９  第二カバー
５０  電気接触側本体
５１  電線接続側本体
５３  コルゲートチューブ
５５  カバー側固定部
６１  ターミナル
６２  ターミナルカバー
６３  電気接触部
６４  電線接続部
６５  連結中間部
６６  曲げ部
６７  本体部
７０  側壁
７３  カバー本体
７４  第一カバー
７５  第二カバー
７６  電気接触側本体
７７  連結中間側本体
７８  電線接続側本体
８１  カバー側固定部
８４  受け部
８５  下部ストッパ
８６  上部ストッパ
【図１】
2008071653.tif 000003
【図２】
2008071653.tif 000004
【図３】
2008071653.tif 000005
【図４】
2008071653.tif 000006
【図５】
2008071653.tif 000007
【図６】
2008071653.tif 000008
【図７】
2008071653.tif 000009
【図８】
2008071653.tif 000010
【図９】
2008071653.tif 000011
【図１０】
2008071653.tif 000012
【図１１】
2008071653.tif 000013
【図１２】
2008071653.tif 000014
【図１３】
2008071653.tif 000015
【図１４】
2008071653.tif 000016